(57)【要約】【課題】本発明は、電子機器とそれを搭載した自動車に関するもので、利便性を高めることを目的とする。【解決手段】そして、この目的を達成するために本発明は、表示部７に画面情報１５が表示されている状態で、掃除モードスイッチ１３が操作された場合、表示部７の背景１６を第１の色相から第２の色相に変更するととともに、この第２の色相状態で、画面情報１５を、第１の色相状態における認識度よりも低下させた状態で、前記表示部７に表出させる構成としたので、表示部７に画面情報１５として例えば地図が表示されている状態では、その地図を確認でき、ナビゲーション機能も活用することができ、利便性の高いものとなる。【選択図】図５
2014160372.tif 000002
【特許請求の範囲】
【請求項１】
表示部と、この表示部に配置されたタッチスイッチと、このタッチスイッチおよび前記表示部に接続された制御部と、この制御部に接続された掃除モードスイッチとを備え、前記制御部は、前記表示部に画面情報が表示されている状態で、前記掃除モードスイッチが操作された場合、前記表示部の背景を第１の色相から第２の色相に変更するとともに、この第２の色相状態で、前記画面情報を、第１の色相状態における認識度よりも低下させた状態で、前記表示部に表出させる構成とした電子機器。
【請求項２】
前記制御部は、前記表示部に画面情報が表示されている状態で、前記掃除モードスイッチが操作された場合、前記表示部の背景を第１の色相から第２の色相に変更するとともに、この第２の色相状態で、前記画面情報の輝度を低下させる構成とした請求項１に記載の電子機器。
【請求項３】
前記制御部は、前記表示部に画面情報が表示されている状態で、前記掃除モードスイッチが操作された場合、前記表示部の背景を第１の色相から、この第１の色相よりも濃い第２の色相に変更する構成とした請求項１に記載の電子機器。
【請求項４】
前記制御部は、前記表示部に画面情報が表示されている状態で、前記掃除モードスイッチが操作された場合、前記表示部の背景を第１の色相から第２の色相に変更するととともに、この第２の色相状態で、前記画面情報を表示部に表出させ、その後、表示部のタッチスイッチが操作された場所の背景を、第２の色相から第１の色相に変更する構成とした請求項１から３のいずれか一つに記載の電子機器。
【請求項５】
請求項１から４のいずれか一つに記載の電子機器を、車内に搭載した自動車。
【発明の詳細な説明】
【技術分野】
【０００１】
本発明は、表示部を有する電子機器とそれを搭載した自動車に関するものである。
【背景技術】
【０００２】
表示部にタッチスイッチを配置した電子機器は、表示部に触ってタッチスイッチ操作を行うので、この表示部が汚れ、拭き掃除を行う必要がある。
【０００３】
そこで、従来では、掃除モードスイッチを操作すると、表示部を黒色に変更し、汚れが確認しやすい状態としている（これに関係する先行文献としては、例えば下記特許文献１が存在する）。
【先行技術文献】
【特許文献】
【０００４】
【特許文献１】特開２０１０−２０５０１２号公報
【発明の概要】
【発明が解決しようとする課題】
【０００５】
上記従来例においては、掃除モードスイッチを操作すると、表示部の背景を黒色に変更し、汚れが確認しやすい状態としているので、汚れの確認には有効なものとは考えられるが、このように表示部の背景を黒色に変更すると、表示部に存在していた画像情報が確認できず、不便なものとなる。
【０００６】
例えば、表示部に画像情報として地図が表示されている状態では、その地図が確認できないので、ナビゲーション機能を活用することができず、不便なものとなる。
【０００７】
そこで、本発明は、利便性を高めること目的とするものである。
【課題を解決するための手段】
【０００８】
そしてこの目的を達成するために本発明は、表示部と、この表示部に配置されたタッチスイッチと、このタッチスイッチおよび前記表示部に接続された制御部と、この制御部に接続された掃除モードスイッチとを備え、前記制御部は、前記表示部に画面情報が表示されている状態で、前記掃除モードスイッチが操作された場合、前記表示部の背景を第１の色相から第２の色相に変更するとともに、この第２の色相状態で、前記画面情報を、第１の色相状態における認識度よりも低下させた状態で、前記表示部に表出させる構成とし、これにより所期の目的を達成するものである。
【発明の効果】
【０００９】
以上のように本発明は、表示部と、この表示部に配置されたタッチスイッチと、このタッチスイッチおよび前記表示部に接続された制御部と、この制御部に接続された掃除モードスイッチとを備え、前記制御部は、前記表示部に画面情報が表示されている状態で、前記掃除モードスイッチが操作された場合、前記表示部の背景を第１の色相から第２の色相に変更するとともに、この第２の色相状態で、前記画面情報を、第１の色相状態における認識度よりも低下させた状態で、前記表示部に表出させる構成としたので、利便性の高いものとなる。
【００１０】
すなわち、本発明では、前記表示部に画面情報が表示されている状態で、前記掃除モードスイッチが操作された場合、前記表示部の背景を第１の色相から第２の色相に変更する
ととともに、この第２の色相状態で、前記画面情報を、第１の色相状態における認識度よりも低下させた状態で、前記表示部に表出させる構成としたので、表示部に画像情報として例えば地図が表示されている状態では、その地図を確認でき、ナビゲーション機能も活用することができ、利便性の高いものとなる。
【図面の簡単な説明】
【００１１】
【図１】本発明の一実施形態にかかる電子機器を搭載した自動車を示す正面図
【図２】同、電子機器の制御ブロック図
【図３】同、電子機器の正面図
【図４】同、電子機器の動作フローチャート
【図５】同、電子機器の表示部を示す図
【発明を実施するための形態】
【００１２】
以下、本発明の一実施形態を、添付図面を用いて説明する。
【００１３】
（実施の形態１）
図１において、１は自動車で、その車内２の前方には運転席３と助手席４が設けられている。
【００１４】
また、運転席３の前方にはハンドル５が設けられ、さらにハンドル５の側方には、電子機器６が配置されている。
【００１５】
この電子機器６は、音楽や映像を再生するもので、映像は表示部７に表出され、音はスピーカ８から出力されるようになっている。
【００１６】
表示部７は図２に示すように制御部９に接続され、この制御部９には、タッチスイッチ１０、メモリ１１、ラジオモードスイッチ１２、掃除モードスイッチ１３、ＴＶモードスイッチ１４、前記スピーカ８が接続されている。
【００１７】
なお、本実施形態では、前記ラジオモードスイッチ１２、掃除モードスイッチ１３、ＴＶモードスイッチ１４は、表示部７の外側に配置したが、これらのラジオモードスイッチ１２、掃除モードスイッチ１３、ＴＶモードスイッチ１４を表示部７に表出させる構成としても良い。
【００１８】
また、タッチスイッチ１０は周知のもので、表示部７の全面に配置され、地点ごとにタッチ操作を検出することができるようになっている。
【００１９】
以上の構成において、例えばラジオモードスイッチ１２を操作すると、図５（ａ）のごとく、表示部７には、現在選局されている放送局や、その他の放送局の選局スイッチ（タッチスイッチ１０により構成されている）に関する画面情報１５が表示される。
【００２０】
このときの画面情報１５の背景１６は、例えば薄い灰色（第１の色相の一例）となっているので、画面情報１５はこの図５（ａ）のごとく、極めて認識度の高い状態（はっきりと確認できる状態）となっている（図４のＳ１）。
【００２１】
そして、この状態で、掃除モードスイッチ１３が操作されると（図４のＳ２）、制御部９は、表示部７のタッチスイッチ１０の操作を無効化し（図４のＳ３）、次に、制御部９は表示部７に画面情報１５が有るか、否かの判定を行う（図４のＳ４）。
【００２２】
図５（ａ）の状態では、画面情報１５が表示されているので、制御部９は次に、前記表
示部７の背景１６を、図５（ｂ）のごとく、第１の色相から第２の色相に変更するとともに、この第２の色相状態で、前記画面情報１５を、第１の色相状態における認識度よりも低下させた状態で、前記表示部７に表出させる（図４のＳ５）。
【００２３】
具体的には、前記表示部７に画面情報１５が表示されている状態で、前記掃除モードスイッチ１３が操作された場合、前記表示部７の背景１６を薄い灰色（第１の色相の一例）から、それよりも、濃い色である濃い青色（第２の色相の一例）に変更すると、画面情報１５は図５（ｂ）のごとく、図５（ａ）との比較からも理解されるように、相対的に認識度が低下させた状態となる。
【００２４】
また、画面情報１５の輝度を低下させることで、相対的に認識度を低下させることもできる。
【００２５】
本実施形態で特徴的なのは、この図５（ｂ）からも理解されるように、認識度を低下させた状態ではあるが、画面情報１５は確認することができるようになっているということである。
【００２６】
つまり、現在選局している放送局の情報は、表示部７に画面情報１５として表示されているので、それを確認することができ、利便性の高いものとなる。
【００２７】
また、表示部７に地図が画面情報１５として表示されている場合には、それを確認しながらのナビゲーション機能を活用することができ、自動車１の運転上、利便性の高いものとなる。
【００２８】
次に、図５（ｂ）の状態で、表示部７の拭き掃除を行うと、拭いた位置は、タッチスイッチ１０が検出し、その結果として、制御部９は、図５（ｃ）のごとく、拭いた場所の背景１６ａを、濃い青色（第２の色相の一例）から薄い灰色（第１の色相の一例）に変更する（図４のＳ６）。
【００２９】
つまり、その部分の背景１６ａが、その周りの背景１６に比較して明確に変更されるので、その部分をふき取ったことが理解される。
【００３０】
また、この背景１６ａ部分では、画面情報１５の認識度が高くなるので、これからも、どの部分をふき取ったことが理解される。
【００３１】
そのようにして、拭き掃除をした面積が、表示部７の８０％以上になると、制御部９は、この表示部７に拭き掃除の完了メッセージを表示させたり、スピーカ８から音声で拭き掃除の完了メッセージを音声出力させたりする（図４のＳ７、Ｓ８）。
【００３２】
続いて制御部９は、表示部７のタッチスイッチ１０の操作を有効化し（図４のＳ９）、以降は電源ＯＦＦ（図４のＳ１０）まで、表示部７の表示を図５（ａ）のごとく、通常状態とする。
【産業上の利用可能性】
【００３３】
以上のように本発明では、前記表示部に画面情報が表示されている状態で、前記掃除モードスイッチが操作された場合、前記表示部の背景を第１の色相から第２の色相に変更するととともに、この第２の色相状態で、前記画面情報を、第１の色相状態における認識度よりも低下させた状態で、前記表示部に表出させる構成としたので、表示部に画像情報として例えば地図が表示されている状態では、その地図を確認でき、ナビゲーション機能も活用することができ、利便性の高いものとなる。
【００３４】
このため、各種電子機器に活用されるものとなる。
【符号の説明】
【００３５】
１  自動車
２  車内
３  運転席
４  助手席
５  ハンドル
６  電子機器
７  表示部
８  スピーカ
９  制御部
１０  タッチスイッチ
１１  メモリ
１２  ラジオモードスイッチ
１３  掃除モードスイッチ
１４  ＴＶモードスイッチ
１５  画面情報
１６、１６ａ  背景
【図１】
2014160372.tif 000003
【図２】
2014160372.tif 000004
【図３】
2014160372.tif 000005
【図４】
2014160372.tif 000006
【図５】
2014160372.tif 000007